(57)【要約】      （修正有）【課題】ワイヤーボンディング行程中半導体チップの破損を防止した積層半導体パッケージ及びこれの製造方法を提供する。【解決手段】積層半導体パッケージは、第１の接続パッド１２及び第２の接続パッド１４を含む基板１０、基板１０上に配置され、第１の半導体チップ２１〜２４が階段形態に積層された第１の積層パッケージグループ２０、第１のエッジボンディングパッド及び第１の接続パッド１２を電気的に連結する第１の導電性ワイヤー３０、第１の積層パッケージグループ２０の上部に配置された第１の上部半導体チップ２４上に配置された接着部材２５、接着部材２５上に配置され、階段形態に積層された第２の半導体チップ５１〜５４を含む第２の積層パッケージグループ５０及び第２のエッジボンディングパッド及び第２の接続パッド１４を電気的に連結する第２の導電性ワイヤー６０を含む。【選択図】図１
2009099922.tif 000002
【特許請求の範囲】
【請求項１】
第１の接続パッド及び第２の接続パッドを含む基板と、
前記基板上に配置され、第１のエッジボンディングパッドが露出した第１の半導体チップが階段形態に積層された第１の積層パッケージグループと、
前記第１のエッジボンディングパッド及び前記第１の接続パッドを電気的に連結する第１の導電性ワイヤーと、
前記第１の積層パッケージグループの上部に配置された第１の上部半導体チップ上に配置された接着部材と、
前記接着部材上に配置され、階段形態に積層されて第２のエッジボンディングパッドが露出して前記第１の上部半導体チップと整列した第２の下部半導体チップを含む第２の半導体チップを含む第２の積層パッケージグループと、
前記第２のエッジボンディングパッド及び前記第２の接続パッドを電気的に連結する第２の導電性ワイヤーと、
を含むことを特徴とする積層半導体パッケージ。
【請求項２】
前記第１の半導体チップは第１の方向に沿って階段形態に付着し、前記第２の半導体チップは前記第１の方向とは反対方向である第２の方向に沿って階段形態に付着したことを特徴とする請求項１に記載の積層半導体パッケージ。
【請求項３】
前記第１の半導体チップの間には第１の寸法を有する第１の接着部材が介在し、前記接着部材は前記第１の寸法より厚い第２の寸法を有することを特徴とする請求項１に記載の積層半導体パッケージ。
【請求項４】
前記第２の半導体チップの間には第１の寸法を有する第２の接着部材が介在し、前記接着部材は前記第１の寸法より厚い第２の寸法を有することを特徴とする請求項１に記載の積層半導体パッケージ。
【請求項５】
前記第１の積層半導体パッケージグループ及び前記第２の積層半導体パッケージグループは少なくとも２個が交互に配置されることを特徴とする請求項１に記載の積層半導体パッケージ。
【請求項６】
前記接着部材は、前記第１の上部半導体チップ及び前記第１の上部半導体チップのエッジボンディングパッドを電気的に連結する前記第１の導電性ワイヤーのループ部を覆うことを特徴とする請求項１に記載の積層半導体パッケージ。
【請求項７】
第１の接続パッド及び第２の接続パッドを含む基板上に第１のエッジボンディングパッドが露出した第１の半導体チップを階段形態に積層して第１の積層パッケージグループを形成する段階と、
前記第１のエッジボンディングパッド及び前記第１の接続パッドを第１の導電性ワイヤーで電気的に連結する段階と、
前記第１の積層パッケージグループの第１の上部半導体チップ上に接着部材を形成する段階と、
前記接着部材上に階段形態に積層されて第２のエッジボンディングパッドが露出し、前記第１の上部半導体チップと整列した第２の下部半導体チップを有する第２の半導体チップを含む第２の積層パッケージグループを形成する段階と、
前記第２のエッジボンディングパッド及び前記第２の接続パッドを第２の導電性ワイヤーで電気的に連結する段階と、
を含むことを特徴とする積層半導体パッケージの製造方法。
【請求項８】
前記第１の半導体チップは第１の方向に沿って階段形態に付着し、前記第２の半導体チップは前記第１の方向とは反対方向である第２の方向に沿って階段形態に付着することを特徴とする請求項７に記載の積層半導体パッケージの製造方法。
【請求項９】
前記第１の積層パッケージグループを形成する段階で、前記第１の半導体チップの間には第１の接着部材が介在することを特徴とする請求項７に記載の積層半導体パッケージの製造方法。
【請求項１０】
前記第１の接着部材は第１の寸法を有し、前記接着部材は第１の寸法より厚い第２の寸法を有することを特徴とする請求項９に記載の積層半導体パッケージの製造方法。
【請求項１１】
前記第１の積層パッケージグループを形成する段階で、前記第２の半導体チップの間には第２の接着部材が介在することを特徴とする請求項７に記載の積層半導体パッケージの製造方法。
【請求項１２】
前記第２の接着部材は第１の寸法を有し、前記接着部材は前記第１の寸法より厚い第２の寸法を有することを特徴とする請求項１１に記載の積層半導体パッケージの製造方法。
【請求項１３】
前記接着部材を形成する段階で、前記接着部材は前記第１の上部半導体チップの前記エッジボンディングパッドと電気的に連結された前記第１の導電性ワイヤーのループ部を覆うことを特徴とする請求項７に記載の積層半導体パッケージの製造方法。
【発明の詳細な説明】
【技術分野】
【０００１】
本発明は、積層半導体パッケージ及びこれの製造方法に関するものである。
【背景技術】
【０００２】
最近に入って、半導体製造技術の開発に伴って短時間内により多くのデータを処理するに適した半導体素子を有する多様な種類の半導体パッケージが開発されている。
【０００３】
半導体パッケージは、純度高いシリコンから成るウェハー上に半導体素子を含む半導体チップを製造する半導体チップ製造工程、半導体チップを電気的に検査するダイソーティング工程及び良品半導体チップをパッケージングするパッケージング工程などを通じて製造される。
【０００４】
最近は、半導体パッケージのサイズが半導体チップサイズの約１００％〜１０５％に過ぎないチップスケールパッケージ及び半導体素子のデータ容量及び処理速度を向上させるために複数の半導体チップを相互に積層させた積層半導体パッケージなどが開発されている。
【０００５】
さらに最近は、半導体チップの集積度を向上させてデータ容量及び処理速度を向上させる半導体製品の技術開発は勿論複数の半導体チップを積層してデータ容量及び処理速度を向上させる半導体製品が開発されている。
【０００６】
複数の半導体チップを積層した積層半導体パッケージの場合、積層された半導体チップのボンディングパッド及び基板の接続パッドを導電性ワイヤーで連結する高度の技術が要求される。
【０００７】
最近、より多くの半導体チップを積層してデータ容量及び処理速度を向上させるために半導体チップの寸法は次第に薄くなっており、この結果最近半導体チップは数十μｍ〜数百μｍに過ぎない寸法を有する。
【発明の開示】
【発明が解決しようとする課題】
【０００８】
しかしながら、数十μｍ〜数百μｍの寸法を有する半導体チップを積層し、積層された半導体チップのボンディングパッド及び基板の接続パッドをワイヤーボンディング設備のキャピラリを用いてボンディングするとき、キャピラリによって半導体チップに印加された過度な衝撃によって半導体チップが破損される問題点を有する。
【０００９】
上記のような従来技術の問題点を解決するために、本発明は、半導体チップのボンディングパッド及び基板の接続パッドを導電性ワイヤーでワイヤーボンディングするとき半導体チップの破損を防止して複数の半導体チップを積層できる積層半導体パッケージを提供することを一つの目的とする。
【００１０】
また、本発明は、前記積層半導体パッケージの製造方法を提供することを他の目的とする。
【課題を解決するための手段】
【００１１】
上記の目的を達成するために、本発明による積層半導体パッケージは、第１の接続パッド及び第２の接続パッドを含む基板と、前記基板上に配置され、第１のエッジボンディングパッドが露出した第１の半導体チップが階段形態に積層された第１の積層パッケージグループと、前記第１のエッジボンディングパッド及び前記第１の接続パッドを電気的に連結する第１の導電性ワイヤーと、前記第１の積層パッケージグループの上部に配置された第１の上部半導体チップ上に配置された接着部材と、前記接着部材上に配置され、階段形態に積層されて第２のエッジボンディングパッドが露出して前記第１の上部半導体チップと整列した第２の下部半導体チップを含む第２の半導体チップを含む第２の積層パッケージグループと、前記第２のエッジボンディングパッド及び前記第２の接続パッドを電気的に連結する第２の導電性ワイヤーとを含む。
【００１２】
積層半導体パッケージの前記第１の半導体チップは第１の方向に沿って階段形態に付着し、前記第２の半導体チップは前記第１の方向とは反対方向である第２の方向に沿って階段形態に付着する。
【００１３】
積層半導体パッケージの前記第１の半導体チップの間には第１の寸法を有する第１の接着部材が介在し、前記接着部材は前記第１の寸法より厚い第２の寸法を有する。
【００１４】
積層半導体パッケージの前記第２の半導体チップの間には第１の寸法を有する第２の接着部材が介在し、前記接着部材は前記第１の寸法より厚い第２の寸法を有する。
【００１５】
積層半導体パッケージの前記第１の積層半導体パッケージグループ及び前記第２の積層半導体パッケージグループは少なくとも２個が交互に配置される。
【００１６】
積層半導体パッケージの前記接着部材は、前記第１の上部半導体チップ及び前記第１の上部半導体チップのエッジボンディングパッドを電気的に連結する前記第１の導電性ワイヤーのループ部を覆う。
【００１７】
上記の他の目的を達成するために、本発明による積層半導体パッケージの製造方法は、第１の接続パッド及び第２の接続パッドを含む基板上に第１のエッジボンディングパッドが露出した第１の半導体チップを階段形態に積層して第１の積層パッケージグループを形成する段階と、前記第１のエッジボンディングパッド及び前記第１の接続パッドを第１の導電性ワイヤーで電気的に連結する段階と、前記第１の積層パッケージグループの第１の上部半導体チップ上に接着部材を形成する段階と、前記接着部材上に階段形態に積層されて第２のエッジボンディングパッドが露出し、前記第１の上部半導体チップと整列した第２の下部半導体チップを有する第２の半導体チップを含む第２の積層パッケージグループを形成する段階と、前記第２のエッジボンディングパッド及び前記第２の接続パッドを第２の導電性ワイヤーで電気的に連結する段階とを含む。
【００１８】
積層半導体パッケージの製造方法で、前記第１の半導体チップは第１の方向に沿って階段形態に付着し、前記第２の半導体チップは前記第１の方向とは反対方向である第２の方向に沿って階段形態に付着する。
【００１９】
前記第１の積層パッケージグループを形成する段階で、前記第１の半導体チップの間には第１の接着部材が介在する。
【００２０】
積層半導体パッケージの製造方法で、前記第１の接着部材は第１の寸法を有し、前記接着部材は第１の寸法より厚い第２の寸法を有する。
【００２１】
積層半導体パッケージの製造方法で、前記第１の積層パッケージグループを形成する段階で、前記第２の半導体チップの間には第２の接着部材が介在する。
【００２２】
積層半導体パッケージの製造方法で、前記第２の接着部材は第１の寸法を有し、前記接着部材は前記第１の寸法より厚い第２の寸法を有する。
【００２３】
前記接着部材を形成する段階で、前記接着部材は前記第１の上部半導体チップの前記エッジボンディングパッドと電気的に連結された前記第１の導電性ワイヤーのループ部を覆う。
【発明の効果】
【００２４】
本発明によれば、複数の半導体チップを第１の方向に向かって階段形態に配置して第１の積層パッケージグループを形成し、第１の積層パッケージグループ上に接着部材を用いて複数の半導体チップを第１の方向とは反対方向である第２の方向に向かって階段形態に配置して第２の積層パッケージグループを形成するとき、第１の積層パッケージグループの上部半導体チップ及び第２の積層パッケージグループの下部半導体チップが整列し、ワイヤーボンディング工程中半導体チップの破損を防止して多数の半導体チップを積層することができる。
【発明を実施するための最良の形態】
【００２５】
以下、添付した図面を参照して本発明の好ましい実施形態を詳細に説明する。
図１は、本発明の一実施形態による積層半導体パッケージの断面図である。図２は、図１に示されている積層半導体パッケージの第１の半導体チップを示した平面図である。
【００２６】
図１及び図２を参照すると、積層半導体パッケージ１００は、基板１０と、第１の積層パッケージグループ２０と、第１の導電性ワイヤー３０と、接着部材４０と、第２の積層パッケージグループ５０と、第２の導電性ワイヤー６０とを含む。
【００２７】
基板１０は、平面上から見たとき、直六面体プレート形状を有することができる。基板１０は、例えば印刷回路基板でありうる。
【００２８】
基板１０は、第１の接続パッド１２、第２の接続パッド１４及びボールランド１６を含む。
【００２９】
第１の接続パッド１２及び第２の接続パッド１４は基板１０の上面上に配置され、ボールランド１６は基板１０の上面と対向する下面上に配置される。
【００３０】
第１の接続パッド１２は基板１０の上面の一側エッジに配置され、第２の接続パッド１４は基板１０の上面の一側エッジと対向する上面の他側エッジに配置される。ボールランド１６は第１の接続パッド１２及び／又は第２の接続パッド１４と電気的に連結される。
【００３１】
第１の積層パッケージグループ２０は基板１０の上面上に付着する。第１の積層パッケージグループ２０は複数の第１の半導体チップ２１，２２，２３，２４及び隣接した第１の半導体チップ２１，２２，２３，２４を接着するための第１の接着部材２５を含む。
【００３２】
図２を参照すると、第１の半導体チップ２１，２２，２３，２４はチップ領域（ＣＲ）及びボンディング領域（ＢＲ）を含む。ボンディング領域（ＢＲ）はチップ領域（ＣＲ）と隣接するように配置される。
【００３３】
複数のエッジボンディングパッド２６はボンディング領域（ＢＲ）内に配置される。例えば、エッジボンディングパッド２６は図２に示されているＹ−軸と平行な方向に配置される。
【００３４】
基板１０上に付着した第１の積層パッケージグループ２０の第１の半導体チップ２１，２２，２３，２４の各エッジボンディングパッド２６は第１の接続パッド１２と隣接するように配置される。
【００３５】
隣接した一対の第１の半導体チップ２１，２２，２３，２４の間には第１の寸法を有する第１の接着部材２５が配置される。第１の接着部材２５は、例えば両面接着テープ又は接着剤でありうる。
【００３６】
第１の積層パッケージグループ２０の第１の半導体チップ２１，２２，２３，２４は第１の方向（ＦＤ）に沿って階段形態に積層され、この結果積層された第１の半導体チップ２１，２２，２３，２４のボンディング領域（ＢＲ）のエッジボンディングパッド２６は露出する。
【００３７】
第１の導電性ワイヤー３０は、相互に隣接するように配置された第１の半導体チップ２１，２２，２３，２４の各エッジボンディングパッド２６及び基板１０の各第１の接続パッド１２を電気的に連結する。
【００３８】
図３は図１のセクションＡを示す部分拡大図である。
図１及び図３を参照すると、接着部材４０は第１の積層パッケージグループ２０の第１の半導体チップ２４上に直接配置される。本実施形態で、接着部材４０は第１の半導体チップ２４と同一な形状及び同一な面積を有し、接着部材４０は第１の半導体チップ２４のエッジボンディングパッド２６と電気的に連結された第１の導電性ワイヤー３０のループ部３２を覆う。すなわち、接着部材４０は第１の導電性ワイヤー３０のループ部３２を後述する第２の積層パッケージグループ５０から絶縁する。
【００３９】
図１を再び参照すると、第２の積層パッケージグループ５０は接着部材４０上に付着する。第２の積層パッケージグループ５０は複数の第２の半導体チップ５１，５２，５３，５４及び第２の接着部材５５を含む。
【００４０】
図４は、図１の第２の積層パッケージグループの第２の半導体チップを示した平面図である。
【００４１】
図４を参照すると、第２の半導体チップ５１，５２，５３，５４はチップ領域（ＣＲ）及びボンディング領域（ＢＲ）を含む。ボンディング領域（ＢＲ）はチップ領域（ＣＲ）と隣接するように配置され、ボンディング領域（ＢＲ）には複数のエッジボンディングパッド５６が配置される。例えば、エッジボンディングパッド５６は図４に示されているＹ−軸と平行な方向に配置される。
【００４２】
第２の積層パッケージグループ５０の各第２の半導体チップ５１，５２，５３，５４の各エッジボンディングパッド５６は、基板１０の第２の接続パッド１４と隣接するように配置される。本実施形態で、第２の半導体チップ５１，５２，５３，５４の形状及びサイズは第１の半導体チップ２１，２２，２３，２４と実質的に同一である。
【００４３】
第２の積層パッケージグループ５０の第２の半導体チップ５１，５２，５３，５４は、例えば第１の方向（ＦＤ）とは反対方向である第２の方向（ＳＤ）に沿って階段形態に相互に積層されて、第２の半導体チップ５１，５２，５３，５４のボンディング領域（ＢＲ）のエッジボンディングパッド５６は露出する。
【００４４】
隣接した第２の半導体チップ５１，５２，５３，５４の間には第１の寸法を有する第２の接着部材５５が介在する。第２の接着部材５５は、例えば第１の寸法を有する両面接着テープ又は接着剤でありうる。
【００４５】
本実施形態で、第２の半導体チップ５１，５２，５３，５４のうち接着部材４０と直接接着した第２の半導体チップ５１は第１の積層パッケージグループ２０の第１の半導体チップ２４と整列する。すなわち、接着部材４０の両側にそれぞれ配置された第１の積層パッケージグループ２０の第１の半導体チップ２４のエッジ及び第２の積層パッケージグループ５０の第２の半導体チップ５１のエッジは整列する。
【００４６】
第１の積層パッケージグループ２０の第１の半導体チップ２４及び第２の積層パッケージグループ５０の第２の半導体チップ５１が相互に整列する場合、接着部材４０及び第１の半導体チップ２４が第２の半導体チップ５１を支持する。従って、ワイヤーボンディング設備（図示せず）のキャピラリ（図示せず）によって第２の半導体チップ５１のエッジボンディングパッド５６及び第２の導電性ワイヤー６０がワイヤーボンディングされるとき、キャピラリによる第２の半導体チップ５１の破損を防止することができる。
【００４７】
これとは異なって、第２の積層パッケージグループ５０の第２の半導体チップ５１が第１の積層パッケージグループ２０の第１の半導体チップ２４から突出した状態で第２の半導体チップ５１のエッジボンディングパッド５６に第２の導電性ワイヤー６０がボンディングされる場合、キャピラリによって第２の半導体チップ５１の破損が発生できる。
【００４８】
第２の導電性ワイヤー６０は、基板１０の第２の接続パッド１４及び第２の接続パッド１４と隣接するように配置された第２の半導体チップ５１，５２，５３，５４の各エッジボンディングパッド５６を電気的に連結する。
【００４９】
本実施形態で、少なくとも２個の第１の積層パッケージグループ２０及び第２の積層パッケージグループ５０は交互に配置され、これにより積層半導体パッケージ１００は約２０個の第１及び第２の半導体チップが積層できる。
【００５０】
モールディング部材７０は、基板１０上に積層された第１及び第２の積層パッケージグループ２０，５０、第１及び第２の導電性ワイヤー３０，６０をモールディングする。モールディング部材７０として使用できる物質の例としてはエポキシ樹脂などを挙げることができる。
【００５１】
図５及び図６は本発明の一実施形態による積層半導体パッケージの製造方法を示した断面図である。
【００５２】
図５を参照すると、積層半導体パッケージを製造するために基板１０上には第１の積層パッケージグループ２０が配置される。
【００５３】
基板１０は、平面上から見たとき、直六面体プレート形状を有する。基板１０は、例えば第１の接続パッド１２、第２の接続パッド１４及びボールランド１６を有する印刷回路基板でありうる。
【００５４】
第１の接続パッド１２は基板１０の上面の一側エッジに配置され、第２の接続パッド１４は基板１０の上面の一側エッジと対向する他側エッジに配置される。ボールランド１６は、基板１０の上面と対向する下面上に配置される。ボールランド１６は、第１の接続パッド１２及び／又は第２の接続パッド１４と電気的に連結される。
【００５５】
第１の積層パッケージグループ２０を基板１０上に形成するために複数の第１の半導体チップ２１，２２，２３，２４が設けられる。
【００５６】
第１の半導体チップ２１，２２，２３，２４はそれぞれチップ領域及びボンディング領域を有し、各第１の半導体チップ２１，２２，２３，２４のボンディング領域には複数のエッジボンディングパッド２６が配置される。
【００５７】
第１の半導体チップ２１の上面のチップ領域には第１の接着部材２５によって他の第１の半導体チップ２２の後面が付着し、これにより第１の半導体チップ２１のエッジボンディングパッド２６は露出する。
【００５８】
次に、他の第１の半導体チップ２２の上面のチップ領域には第１の接着部材２５によってさらに他の第１の半導体チップ２３の後面が付着し、これにより他の半導体チップ２２のエッジボンディングパッド２６は露出する。
【００５９】
その次に、さらに他の半導体チップ２３の上面のチップ領域には第１の接着部材２５によって最後の第１の半導体チップ２４の後面が付着し、これにより最後の第１の半導体チップ２４のエッジボンディングパッド２６は露出する。
【００６０】
本実施形態で、第１の接着部材２５は第１の寸法を有し、第１の接着部材２５は、例えば両面接着テープ又は接着剤でありうる。
【００６１】
前述したように第１の半導体チップ２１，２２，２３，２４を積層する場合、第１の半導体チップ２１，２２，２３，２４は第１の方向（ＦＤ）に向かって階段形態に積層される。
【００６２】
第１の積層パッケージグループ２０が基板１０上に形成された後、基板１０の第１の接続パッド１２及び第１の半導体チップ２１，２２，２３，２４の各エッジボンディングパッド２６は第１の導電性ワイヤー３０によって電気的に連結される。
【００６３】
図６を参照すると、第１の半導体チップ２１，２２，２３，２４のエッジボンディングパッド２６及び基板１０の第１の接続パッド１２が第１の導電性ワイヤー３０によって電気的に接続された後、第１の積層パッケージグループ２０の上部に配置された第１の半導体チップ２４上には接着部材４０が配置される。
【００６４】
接着部材４０は、例えば第１の半導体チップ２４の上面に塗布された流動性接着剤でありうる。これとは異なって、接着部材４０は第１の半導体チップ２４の上面に塗布された接着テープでありうる。接着部材４０の付着面積は第１の半導体チップ２４の面積と実質的に同一であることができる。
【００６５】
本実施形態で、接着部材４０は第１の半導体チップ２４のエッジボンディングパッド２６と電気的に連結された第１の導電性ワイヤー３０のループ部３２を覆う第２の寸法を有する。本実施形態で、接着部材４０の第２の寸法は、例えば第１の接着部材２５の第１の寸法より厚い寸法を有する。
【００６６】
第１の半導体チップ２４のエッジボンディングパッド２６と電気的に連結された第１の導電性ワイヤー３０は接着部材４０によって後述する第２の積層パッケージグループ５０の第２の半導体チップ５１と電気的に絶縁される。
【００６７】
第１の積層パッケージグループ２０の第１の半導体チップ２４上に接着部材４０が配置された後、接着部材４０上には第２の積層パッケージグループ５０が配置される。
【００６８】
第２の積層パッケージグループ５０は複数の第２の半導体チップ５１，５２，５３，５４を含む。
【００６９】
第２の半導体チップ５１，５２，５３，５４はそれぞれチップ領域及びボンディング領域を有し、各第２の半導体チップ５１，５２，５３，５４のボンディング領域には複数のエッジボンディングパッド５６が配置される。
【００７０】
複数の第２の半導体チップ５１，５２，５３，５４のうち、第２の半導体チップ５１は接着部材４０上に直接付着する。
【００７１】
この時、第２の積層パッケージグループ５０の第２の半導体チップ５１は第１の積層パッケージグループ２０の第１の半導体チップ２４と正確に整列する。
【００７２】
本実施形態で、第２の半導体チップ５１が第１の半導体チップ２４と正確に整列することによってワイヤーボンディング工程中第２の半導体チップ５１の破損を防止することができる。
【００７３】
第２の半導体チップ５１の上面のチップ領域には第２の接着部材５５によって他の第２の半導体チップ５２の後面が付着し、これにより第２の半導体チップ５１のエッジボンディングパッド５６は露出する。
【００７４】
次に、他の第２の半導体チップ５２の上面のチップ領域には第２の接着部材５５によってさらに他の第２の半導体チップ５３の後面が付着し、これにより他の半導体チップ５２のエッジボンディングパッド５６は露出する。
【００７５】
その次に、さらに他の第２の半導体チップ５３の上面チップ領域には第２の接着部材５５によって最後の第２の半導体チップ５４の後面が付着し、これにより最後の第２の半導体チップ５４のエッジボンディングパッド５６は露出する。
【００７６】
本実施形態で、第２の接着部材５５は第１の寸法を有し、第２の接着部材５５は、例えば両面接着テープ又は接着剤でありうる。
【００７７】
前述したように、第２の半導体チップ５１，５２，５３，５４を積層する場合、第２の半導体チップ５１，５２，５３，５４は第１の方向（ＦＤ）とは反対方向である第２の方向（ＳＤ）に向かって階段形態に積層される。
【００７８】
第２の積層パッケージグループ５０が接着部材４０上に形成された後、基板１０の第２の接続パッド１４及び第２の半導体チップ５１，５２，５３，５４のエッジボンディングパッド５６は第２の導電性ワイヤー６０によって電気的に連結される。
【００７９】
この時、第２の積層パッケージグループ５０の第２の半導体チップ５１は接着部材４０及び第１の積層パッケージグループ２０の第１の半導体チップ２４によって支持されて、第２の半導体チップ５１に第２の導電性ワイヤー６０がボンディングされるとき、第２の半導体チップ５１の破損を防止することができる。
【００８０】
このような方法で第１及び第２の積層パッケージグループ２０、５０及び第１及び第２の導電性ワイヤー３０，６０は多数回交互に配置できる。例えば、本発明による積層半導体パッケージ１００は約２０個〜約３０個の半導体チップを容易に積層することができる。
【００８１】
図１を再び参照すると、基板１０上に第１及び第２の積層パッケージグループ２０、５０が配置された後、モールディング部材７０によって第１及び第２の積層パッケージグループ２０，５０及び第１及び第２の導電性ワイヤー３０，６０はモールディングされて積層半導体パッケージ１００が製造される。
【００８２】
以上、ここでは本発明を特定実施形態に関連して示して説明したが、本発明はそれに限定されるものでなく、本発明の特許請求の範囲は本発明の精神と分野を離脱しない限度内で本発明が多様に改造及び変形できるということを当業者が容易に分かる。
【図面の簡単な説明】
【００８３】
【図１】本発明の一実施形態による積層半導体パッケージの断面図である。
【図２】図１に示されている積層半導体パッケージの第１の半導体チップを示した平面図である。
【図３】図１のセクションＡを示す部分拡大図である。
【図４】図１の第２の積層パッケージグループの第２の半導体チップを示した平面図である。
【図５】本発明の一実施形態による積層半導体パッケージの製造方法を示した断面図である。
【図６】本発明の一実施形態による積層半導体パッケージの製造方法を示した断面図である。
【符号の説明】
【００８４】
１０    基板
１２    第１の接続パッド
１４    第２の接続パッド
１６    ボールランド
２０    積層パッケージグループ
２１，２２，２３，２４    第１の半導体チップ
２５    第１の接着部材
３０    第１の導電性ワイヤー
４０    接着部材
５０    第２の積層パッケージグループ
５１，５２，５３，５４    第２の半導体チップ
５５    第２の接着部材
６０    第２の導電性ワイヤー
１００    積層半導体パッケージ
【図１】
2009099922.tif 000003
【図２】
2009099922.tif 000004
【図３】
2009099922.tif 000005
【図４】
2009099922.tif 000006
【図５】
2009099922.tif 000007
【図６】
2009099922.tif 000008